(57)【特許請求の範囲】
【請求項１】
ＩＣカードを受け入れる受入部と、
この受入部に受け入れられたＩＣカードからデータを読み取る読取手段と、
この読取手段を駆動するための電池と、
上記読取手段および電池を収容したフロントケースと、
このフロントケースに収容された電池を脱着可能に保持し且つ上記ＩＣカードを上記受入部に案内するように上記フロントケースに取り付けられたインナーパネルと、
このインナーパネルとの間で上記受入部を規定するように上記フロントケースに対して脱着可能に取り付けられたリアケースと、
上記受入部に受け入れられたＩＣカードを保持するように、上記リアケースから上記受入部に向けて一体的に突出された凸部と、
を有することを特徴とするＩＣカード読取装置。
【請求項２】
上記凸部は、上記ＩＣカードの上記受入部に対する挿脱を容易にするため、上記ＩＣカードを案内するように緩やかに傾斜された端部を有することを特徴とする請求項１記載のＩＣカード読取装置。
【請求項３】
上記リアケースには、上記フロントケースに収容された電池を押えるストッパが形成されていることを特徴とする請求項１記載のＩＣカード読取装置。
【請求項４】
各種データが記録されたＩＣカードを受入れる受入部と、
上記受入部に露出して配置され、該受入部に受入れられたＩＣカードに電気的に接続する接点と、
上記接点を介して上記ＩＣカードに記録されているデータを読取って表示用のデータを用意する信号処理手段と、
上記信号処理手段にて用意された表示用のデータを表示する表示手段と、
上記信号処理手段および表示手段を駆動するための電池と、
上記接点、信号処理手段、および表示手段を実装した基板と、
上記基板および電池を収容したフロントケースと、
上記基板を保護するとともに、上記ＩＣカードを上記受入部に案内する、上記フロントケースに取付けられたインナーパネルと、
上記インナーパネルを上記基板に対して固定する固定手段と、
上記インナーパネルとの間で上記受入部を形成するように、上記フロントケースに対して脱着可能に取付けられたリアケースと、
上記受入部に受け入れられたＩＣカードを保持するように、上記リアケースから上記受入部に向けて一体的に突出された凸部と、
を備えていることを特徴とするＩＣカード読取装置。
【請求項５】
上記固定手段は、上記接点に近接した位置に設けられていることを特徴とする請求項４記載のＩＣカード読取装置。
【請求項６】
上記信号処理手段にて用意された表示用のデータを選択する切換ボタンをさらに有し、
上記表示手段は、上記切換ボタンにて選択されたデータを選択的に表示することを特徴とする請求項４に記載のＩＣカード読取装置。
【発明の詳細な説明】
【０００１】
【発明の属する技術分野】
この発明は、ＩＣカードに記録されたデータを読取るとともに、読取ったデータを表示するＩＣカード読取装置に関する。
【０００２】
【従来の技術】
従来、ＩＣカードに記録されたデータを読取るＩＣカード読取装置として、電子証取引などに利用される個人向け端末機器として携帯性に優れた小型のものが開発されつつある。
【０００３】
この種の携帯型のＩＣカード読取装置では、コストメリットを出すために、構造、機能、性能などの点で単純化が図られ、例えば、その構造においては、ＩＣカードを装着するためのケースと基板のみで構成されている。基板には、電子部品、ＬＣＤ（液晶表示器）、電池、ＩＣカードとの接点などが実装され、この基板を包囲するようにケースが取付けられている。
【０００４】
【発明が解決しようとする課題】
上記のように単純化されたＩＣカード読取装置では、駆動のための電池を基板に対して半田付けにより固着しているため、電池の寿命とともに装置自体が使えなくなっていた。また、装置本体から電池を取り外すことができないため、電池の寿命により装置とともに電池を処分しなければならず、電池を分離して処分できないことから、環境問題などの観点から大きな問題となっていた。
【０００５】
この発明は、以上の点に鑑みなされたもので、その目的は、駆動のための電池を交換でき、ＩＣカードとの接点を安定して確保できるＩＣカード読取装置を提供することにある。
【０００６】
【課題を解決するための手段】
上記目的を達成するため、この発明のＩＣカード読取装置は、ＩＣカードを受け入れる受入部と、この受入部に受け入れられたＩＣカードからデータを読み取る読取手段と、この読取手段を駆動するための電池と、上記読取手段および電池を収容したフロントケースと、このフロントケースに収容された電池を脱着可能に保持し且つ上記ＩＣカードを上記受入部に案内するように上記フロントケースに取り付けられたインナーパネルと、このインナーパネルとの間で上記受入部を規定するように上記フロントケースに対して脱着可能に取り付けられたリアケースと、上記受入部に受け入れられたＩＣカードを保持するように、上記リアケースから上記受入部に向けて一体的に突出された凸部と、を有する。
【０００８】
また、この発明のＩＣカード読取装置によると、上記凸部は、上記ＩＣカードの上記受入部に対する挿脱を容易にするため、上記ＩＣカードを案内するように緩やかに傾斜された端部を有することを特徴とする。
【０００９】
また、この発明のＩＣカード読取装置によると、上記リアケースには、上記フロントケースに収容された電池を押えるストッパが形成されていることを特徴とする。
【００１０】
また、この発明のＩＣカード読取装置は、各種データが記録されたＩＣカードを受入れる受入部と、上記受入部に露出して配置され、該受入部に受入れられたＩＣカードに電気的に接続する接点と、上記接点を介して上記ＩＣカードに記録されているデータを読取って表示用のデータを用意する信号処理手段と、上記信号処理手段にて用意された表示用のデータを表示する表示手段と、上記信号処理手段および表示手段を駆動するための電池と、上記接点、信号処理手段、および表示手段を実装した基板と、上記基板および電池を収容したフロントケースと、上記基板を保護するとともに、上記ＩＣカードを上記受入部に案内する、上記フロントケースに取付けられたインナーパネルと、上記インナーパネルを上記基板に対して固定する固定手段と、上記インナーパネルとの間で上記受入部を形成するように、上記フロントケースに対して脱着可能に取付けられたリアケースと、上記受入部に受け入れられたＩＣカードを保持するように、上記リアケースから上記受入部に向けて一体的に突出された凸部と、を備えている。
【００１１】
また、この発明のＩＣカード読取装置によると、上記固定手段は、上記接点に近接した位置に設けられていることを特徴とする。
【００１２】
更に、この発明のＩＣカード読取装置は、上記信号処理手段にて用意された表示用のデータを選択する切換ボタンをさらに有し、上記表示手段は、上記切換ボタンにて選択されたデータを選択的に表示することを特徴とする。
【００１３】
【発明の実施の形態】
以下、図面を参照しながらこの発明の実施の形態について詳細に説明する。
図１（ａ）には、ＩＣカードおよびＩＣカード読取装置の正面図を示し、図１（ｂ）には、ＩＣカードおよびＩＣカード読取装置の側面図を示してある。尚、ＩＣカードは、その先端側の接点近傍を部分的に示してある。
【００１４】
ＩＣカード１の表面の所定部位には、ＩＣカード読取装置１０（以下、単に読取装置１０と称する）との間の接点としてのコンタクト部１ａ、１ｂが形成されている。これらコンタクト部１ａ、１ｂは、それぞれ４つの部位に分割されており、ＩＣカード１の挿入方向（図中矢印方向）に沿って並設されている。
【００１５】
読取装置１０は、その上端部にＩＣカード１を挿入するためのスリット状のカード挿入口１１を形成した樹脂製の略矩形のケース１２を有している。ケース１２のフロント側には、ＩＣカード１に記録されている各種データを表示するための後述する液晶表示パネル（以下、LCD と称する）を見るための窓１３、およびこのLCD を介して表示するデータを選択的に切換えるための切換ボタン１４ａ〜１４ｄが設けられている。
【００１６】
ケース１２の内部には、カード挿入口１１から下方に延出されたカードスロット１５が形成されている。また、読取装置１０は、ＩＣカード１がカードスロット１５内の所定の挿入位置まで挿入された状態で、ＩＣカード１のコンタクト部１ａ、１ｂとそれぞれ接続されるコンタクトピン１６ａ、１６ｂを有している。コンタクトピン１６ａ、１６ｂは、コンタクトブロック１６に並設されて、カードスロット１５のフロント側に露出するように配設されている。尚、コンタクトピン１６ａ、１６ｂは、ＩＣカード１のコンタクト部１ａ、１ｂに対応して、それぞれ４つの部位に分割されている。
【００１７】
図２には、読取装置１０の（ａ）正面図、（ｂ）側面図、および（ｃ）背面図を示してある。読取装置１０のケース１２は、フロントケース１２ａ、およびこのフロントケース１２ａに対して着脱自在に形成されたリアケース１２ｂを有している。フロントケース１２ａには、上述したコンタクトブロック１６やLCD とともに種々の電子部品を実装した後述する基板が取付けられ、この基板をカバーするように、樹脂製のインナープレート１８が取付けられている。そして、このインナープレート１８およびリアケース１２ｂにより、上述したカードスロット１５が形成される。
【００１８】
図３には、リアケース１２ｂをフロントケース１２ａに対して着脱するための構成を示してある。
図３（ａ）に示すように、フロントケース１２ａおよびリアケース１２ｂの周辺部、即ちカード挿入口１１が形成された上端部を除く周辺部には、互いに係合される爪２１ａ〜２１ｅ、２２ａ〜２２ｅが形成されている。図３（ｂ）のようにリアケース１２ｂがフロントケース１２ａに装着されると、図３（ｃ）に示すように、フロントケース１２ａの爪２１ａとリアケース１２ｂの爪２２ａが係合される。尚、ここでは、爪２１ａと２２ａとの係合状態を代表して示したが、他の爪２１ｂ〜２１ｅと２２ｂ〜２２ｅも同様に係合される。
【００１９】
このように、リアケース１２ｂをフロントケース１２ａに対して着脱可能とすることにより、リアケース１２ｂを取り外した状態（図３ａの状態）で、電池Ｖ１、Ｖ２の交換が可能となり、且つＩＣカード１のコンタクト部１ａ、１ｂと接続されるコンタクトピン１６ａ、１６ｂのクリーニングが可能となる。これにより、電池の寿命がきたときに読取装置１０から電池Ｖ１、Ｖ２を分離して処分できる。
【００２０】
以下、上述した読取装置１０の内部構造について詳細に説明する。尚、図４は、読取装置１０を図２（ａ）の線分IV−IVに沿って切断した断面を示し、図５は、読取装置１０を図２（ｂ）の線分Ｖ−Ｖに沿って切断した断面、即ちリアケース１２ｂを取り外した状態の装置内部を示し、図６は、図５の線分VI−VIに沿って切断した断面を示し、図７は、読取装置１０を図２（ｃ）の線分VII −VII に沿って切断した断面を示している。
【００２１】
図４に示すように、読取装置１０のフロントケース１２ａの内側には、基板２０が組込まれている。基板２０には、ＩＣカードに記録されているデータを表示するLCD ２３、装置のフロント側に露出された切換ボタン１４ａ〜１４ｄ、およびコンタクトピン１６ａ、１６ｂを搭載したコンタクトブロック１６が実装されている。また、基板２０には、カード挿入口１１を介してカードスロット１５内にＩＣカード１が挿入されたとき、ＩＣカード１の先端部を係止してＩＣカード１を所定の挿入位置に位置決めするためのカードストッパ２４が固設されている。
【００２２】
さらに、カードストッパ２４の近くには、ＩＣカード１が所定の挿入位置まで挿入されたとき、すなわちカードストッパ２４によってＩＣカード１の先端が係止されたときにスイッチングされるコンタクトスイッチ２５が設けられている。
【００２３】
つまり、カード挿入口１１を介してカードスロット１５内にＩＣカードが挿入され、カードの先端がカードストッパ２４によって係止されると、コンタクトスイッチ２５がオンされてＩＣカードに記録されているデータの読取りが開始される。
【００２４】
また、読取装置１０のリアケース１２ｂの内面、即ちＩＣカード１が挿入されるカードスロット１５に面した内面には、挿入されたＩＣカード１をコンタクトピン１６ａ、１６ｂ方向に押圧するための凸部２６が形成されている。この凸部２６は、基板２０に実装されたコンタクトブロック１６に対向する位置に形成され、ＩＣカード１のカードスロット１５に対する挿脱を容易にするために、各端部が緩やかに傾斜されている。この凸部２６の作用により、ＩＣカード１のコンタクト部１ａ、１ｂがコンタクトピン１６ａ、１６ｂに押付けられ、両者が確実に接触される。
【００２５】
図５および図６に示すように、読取装置１０のフロントケース１２ａおよびリアケース１２ｂの間には、インナーパネル１８が配設されている。インナーパネル１８は、フロントケース１２ａ内に収容された基板２０を保護するとともに、カードスロット１５内に挿入されるＩＣカード１の挿入案内として機能する。尚、このインナーパネル１８は、基本的にフロントケース１２ａにネジ止めされている。
【００２６】
このインナーパネル１８には、ＩＣカード１の両側端をガイドする挿入ガイド３１、３２、および基板２０に装着された電池Ｖ１、Ｖ２の浮き上がりを押えるための電池ストッパ部３３、３４が形成されている。基板２０には、電池Ｖ１、Ｖ２が、バネ２７、２８の作用によって、脱着自在に取付けられており、インナーパネル１８の電池ストッパ部３３、３４は、電池Ｖ１、Ｖ２の脱着が容易となる形状（円弧状）に形成されている。
【００２７】
また、インナーパネル１８には、基板２０に向って突出した突起１９が形成されている。突起１９は、コンタクトブロック１６に近接した位置に設けられ、突起１９の先端が基板２０の裏側で略Ｌ字型に折り曲げられ、先端の係止面１９ａが基板２０の裏面に係止されるようになっている。尚、基板２０の対応した位置には、突起１９を挿通させるための孔２０ａが形成されている。
【００２８】
このように、インナーパネル１８の突起１９をコンタクトブロック１６の近くに形成し、インナーパネル１８と基板２０との間の距離が広がることを防止することにより、基板２０の反りなどによる変形に起因したコンタクトブロック１６とインナーパネル１８との間の平行度のズレを防止できる。これにより、インナーパネル１８に沿って案内されるＩＣカード１とコンタクトブロック１６との間の平行度を安定して保持でき、両者の間の接点を安定して確保できる。
【００２９】
図７に示すように、リアケース１２ｂには、フロントケース１２ａに装着された状態で、電池Ｖ１、Ｖ２の浮き上がりを防止するように機能する電池ストッパ３５、３６が形成されている。これらの電池ストッパ３５、３６は、ＩＣカード１の挿入を妨げることのない位置、即ちカードスロット１５から外れた位置に設けられている。これにより、リアケース１２ｂをフロントケース１２ａに装着した状態で電池Ｖ１、Ｖ２が所定位置に確実に固定される。
【００３０】
ここで、上記のように構成された読取装置１０の制御系について、図８に示すブロック図を参照して説明する。
読取装置１０の制御系は、信号処理手段として作用する信号処理回路５０を有している。信号処理回路５０には、ＩＣカードの挿入によりスイッチングされるコンタクトスイッチ２５、ＩＣカードのコンタクト部１ａ、１ｂと接続されるコンタクトピン１６ａ、１６ｂ、駆動電源としての電池Ｖ１、Ｖ２、ＩＣカードに記録されているデータを表示する表示手段としてのLCD ２３、およびこのLCD ２３を介して表示するデータを選択的に切換える切換ボタン１４ａ〜１４ｄが接続されている。
【００３１】
しかして、ＩＣカード１がカード挿入口１１を介して挿入され、その先端がカードストッパ２４によって係止されると、コンタクトスイッチ２５がオンされてＩＣカード１に記録されているデータの読取りが成される。読取られたデータは、信号処理回路５０にて処理され、複数の表示データが用意される。用意されたデータは、切換スイッチ１４ａ〜１４ｄの押下によって選択され、LCD ２３を介して選択的に表示される。
尚、この発明は、上述した実施の形態に限定されるものではなく、この発明の範囲内で種々変形可能である。
【００３２】
【発明の効果】
以上説明したように、この発明のＩＣカード読取装置は、上記のような構成および作用を有しているので、駆動のための電池を交換でき、ＩＣカードとの接点を安定して確保できる。
【図面の簡単な説明】
【図１】この発明のＩＣカード読取装置およびＩＣカードを示す（ａ）正面図、および（ｂ）側面図。
【図２】図１の読取装置の（ａ）正面図、（ｂ）側面図、および（ｃ）背面図。
【図３】図２の読取装置のリアケースを脱着するための構成を示す図。
【図４】図２（ａ）の線分IV−IVに沿って読取装置を切断した断面図。
【図５】図２の読取装置のリアケースを取り外した状態を示す図。
【図６】図５の線分VI−VIに沿って切断した断面図。
【図７】図２（ｃ）の線分VII −VII に沿って読取装置を切断した断面図。
【図８】図２の読取装置の制御系を示すブロック図。
【符号の説明】
１…ＩＣカード、
１ａ、１ｂ…コンタクト部、
１０…読取装置、
１１…カード挿入口、
１２ａ…フロントケース、
１２ｂ…リアケース、
１４ａ〜１４ｄ…切換ボタン、
１５…カードスロット、
１６…コンタクトブロック、
１６ａ、１６ｂ…コンタクトピン、
１８…インナーパネル、
１９…突起、
２０…基板、
２０ａ…孔、
２１、２２…爪、
２３…LCD 、
２４…カードストッパ、
２５…コンタクトスイッチ、
２６…凸部、
２７、２８…バネ、
３１、３２…挿入ガイド、
３３、３４…電池ストッパ部、
３５、３６…電池ストッパ、
５０…信号処理回路、
Ｖ１、Ｖ２…電池。
【図１】
0003923624.tif 000002
【図２】
0003923624.tif 000003
【図３】
0003923624.tif 000004
【図４】
0003923624.tif 000005
【図５】
0003923624.tif 000006
【図６】
0003923624.tif 000007
【図７】
0003923624.tif 000008
【図８】
0003923624.tif 000009